【手続補正書】
【提出日】平成15年8月18日(2003.8.18)
【手続補正１】
【補正対象書類名】明細書
【補正対象項目名】全文
【補正方法】変更
【補正の内容】
【発明の名称】全自動洗濯機の水量と洗剤量の表示方法
【特許請求の範囲】
【請求項１】洗濯物の負荷量を判定し、負荷量の判定結果に基づいて水量と洗剤量とを設定する全自動洗濯機の表示装置において、負荷量の判定結果に基づいて水量を１リットル単位で表示するとともに、該水量に対応する洗剤量を表示部に表示することを特徴とする全自動洗濯機の水量と洗剤量の表示方法。
【請求項２】水量と洗剤量または水量と洗剤量のどちらか一方を洗濯運転中に洗濯の残時間を表示する表示部に表示することを特徴とする請求項１記載の全自動洗濯機の水量と洗剤量の表示方法。
【請求項３】洗濯運転開始前で洗濯機のフタが開いているときに表示部に水量と洗剤量とを表示し、洗濯運転中で洗濯機のフタが閉じているときは表示部には洗濯の残時間を表示することを特徴とする請求項１または請求項２に記載の全自動洗濯機の水量と洗剤量の表示方法。
【請求項４】水量と洗剤量は表示部に交互に表示することを特徴とする請求項１から請求項３のいずれかに記載の全自動洗濯機の水量と洗剤量の表示方法。
【発明の詳細な説明】
【０００１】
【発明の属する技術分野】
本発明は、全自動洗濯機の表示方法に関するものである。
【０００２】
【従来の技術】
全自動洗濯機では洗濯運転の開始前に洗濯物の負荷量を予め判定し、この判定結果に基づいて負荷量に適した水量と洗剤量とを自動的に設定して、これを図６に示すような表示部１に表示している。
【０００３】
負荷量の判定方法は周知のように例えば洗濯槽内に洗濯物を投入し、図２に示すように給水する前にモータに所定時間通電して回転翼を回転した後、モータへの通電を停止して、その後の慣性による回転の慣性パルス数を検出し、この慣性パルス数によって負荷量を判定するものである。
【０００４】
そして、パルス数と負荷量の相関関係は図３のように慣性パルス数が少ない程負荷量が大きくなる。すなわち、洗濯物の量が多い程、モータへの通電停止後の回転翼の慣性による回転数は少なくなるものであり、この慣性パルス数をカウントすることで、洗濯物の量を判定する。
【０００５】
こうして判定した負荷量に基づいて図４に示すように水量を決定する。水量は負荷量が大きく、すなわち洗濯物の量が多い程、水位を高く設定することで所定の水量を得るようにするものであり、水位は洗濯槽の容量などにより洗濯機毎に負荷量に対して予め設定してある。
【０００６】
この水位の設定は、従来、例えば図６に示すように「高」「中」「低」「少」「極少」の５段階に設定され、各段階の水量が５８リットル、５２リットル、４５リットル、３８リットル、２５リットルとなっており、これらの数値表示２をＬＥＤ（発光ダイオード）ランプで表示している。
【０００７】
そして、この５段階の水位に応じてこれに適した洗剤量もＬＥＤ（発光ダイオード）ランプによる計量スプーンの形状表示３で表示される。
【０００８】
【発明が解決しようとする課題】
負荷量の判定精度が向上して例えば１リットル単位で負荷量に対応する水量や洗剤量が算出できるようになっても、水量や洗剤量の設定が５段階にしか分けられていないため、算出された水量や洗剤量はこの５段階のいずれか最も近い数値のものとして数量が表示され、この数値で洗濯が行われることになる。
【０００９】
このため、判定した負荷量に最も適する水量や洗剤量で洗濯されず、洗剤量が多すぎて泡が多く発生したり、洗剤分が残ったりすることや、また、これとは反対に洗剤量が少なすぎて十分な洗浄力が得られないこともある。
【００１０】
また、水量や洗剤量を表示するＬＥＤによる表示部を別途格別に必要とするため表示スペースを要し、ＬＥＤ基板も高価なものとなる。
【００１１】
本発明の目的は前記従来例の不都合を解消し、判定した負荷量に最も適した水量や洗剤量の数値が表示され、この数値で洗濯が行われて洗剤分の残り発生などが生じることを防止し、また、十分な洗浄力を確保でき、さらに、水量や洗剤量の表示部は他の表示部と兼用することで別途格別に必要とせず構造簡単で安価に製造できる全自動洗濯機の水量と洗剤量の表示方法を提供することにある。
【００１２】
【課題を解決するための手段】
本発明は前記目的を達成するため、第１に、洗濯物の負荷量を判定し、負荷量の判定結果に基づいて水量と洗剤量とを設定する全自動洗濯機の表示装置において、負荷量の判定結果に基づいて水量を１リットル単位で表示するとともに、該水量に対応する洗剤量を表示部に表示することで、水量や洗剤量を負荷量に見合うものとして最適のものを細かく表示でき、また、この場合に水量や洗剤量の表示のための表示スペースを別途格別に必要としないですむ。
【００１３】
第２に、水量と洗剤量または水量と洗剤量のどちらか一方を洗濯運転中に洗濯の残時間を表示する表示部に表示することにより、洗濯運転開始前で残時間の表示がまだ行われないときに、この残時間の表示部に水量と洗剤量の表示を行うから、１つの表示部を共用して使用しても支障はない。
【００１４】
第３に、洗濯運転開始前で洗濯機のフタが開いているときに表示部に水量と洗剤量とを表示し、洗濯運転中で洗濯機のフタが閉じているときは表示部には洗濯の残時間を表示することにより、フタの開閉状態で表示内容を自動的に選択設定し、しかも、洗濯開始前の洗剤投入などのためにフタを開いているときに水量と洗剤量を表示し、洗濯開始後のフタを閉じているときに洗濯の残時間を表示するようにしたから、洗濯の工程で必要なときに必要な情報を確実に表示できる。
【００１５】
第４に、水量と洗剤量は表示部に交互に表示することにより、洗濯開始前に必要な情報である水量と洗剤量の表示を一つの表示部で行える。
【００１６】
【発明の実施の形態】
以下、図面について本発明の実施の形態を詳細に説明する。図１は本発明の全自動洗濯機の水量と洗剤量の表示方法の動作を示すフローチャートで、本発明方法により表示される水量と洗剤量の表示部１を図５について説明すると、この表示部１は従来と同様に洗濯機のトップパネルなどに設けられるもので、操作スイッチとして電源スイッチ４、スタート兼一時停止ボタン５、洗濯内容を設定するためのコース選択ボタン６、汚れボタン７、予約ボタン８、洗濯内容を使用者がマニュアル設定するための脱水ボタン９、すすぎボタン１０、洗いボタン１１を設けた。
【００１７】
また、設定した洗濯内容を表示するためのＬＥＤランプを使用する表示部として、「標準」などのコースの表示部１２、選択された汚れの程度により強弱が設定される水流の表示部１３、脱水時間の表示部１４、すすぎ回数の表示部１５、洗い時間の表示部１６、洗濯中の残時間の表示部１７を設ける。
【００１８】
他方、マイクロコンピュータなどを利用する制御装置には従来と同様に、図３に示すような慣性パルス数に対応する負荷量、図４に示すような判定された負荷量に対応する水位を予め設定しておく。
【００１９】
次に図１のフローチャートについて水量と洗剤量の表示方法について説明する。洗濯槽に洗濯物を投入し、給水する前の段階でモータに一定時間通電して回転翼を回転し、モータ停止後の慣性パルス数を回転翼の慣性による回転で検出し、この慣性パルス数から負荷量を判定する。
【００２０】
判定された負荷量からこれに対応する最適な水量をリットル単位で細かく算出し、さらにこれに見合う洗剤量も算出する。
【００２１】
かかる慣性パルス数検出後の判定、算出は洗濯開始前で、洗濯槽内に水や洗剤がまだ投入されない段階で行われ、このときは洗濯機のフタはまだ開いた状態にあるから、フタスイッチなどからの出力でフタ開が検知されれば洗濯中の残時間の表示部１７に水量と洗剤量の数値を表示する〔ステップ（イ）〜ステップ（ホ）〕。
【００２２】
ところで、このフタ開の検知は洗濯開始後の脱水中に衣類の片寄りなどを修正するためにフタを開いたものではなく、前記のように洗濯開始前の段階でのものとして判断されるから、脱水中にフタを開いたときに水量や洗剤量が残時間の表示部１７に表示されてしまうことはない。
【００２３】
水量の表示はリットル単位で数値が表示され、またこれに最適の洗剤量も表示されるから、使用者はこの表示を見て洗濯物の量に見合う最適の水量と洗剤量を洗剤を投入する。一例として、水量に適した洗剤量は予浸洗濯開始時においては洗剤濃度は標準濃度（０．１３３％）より濃い状態であり、水量２５リットルに
1998057678.tif 000001
を開始する。
【００２４】
そして、水量と洗剤量とは一つの残時間の表示部１７に表示されるが、交互に表示することにより２つの異なる内容の表示をひとつの表示部１７で行うことが可能となる。
【００２５】
洗剤投入後、フタを閉じて設定された水量の水位まで給水され、これが水位センサーで検知されれば洗い運転が開始する。かかる洗いは洗濯物の量に最適の洗剤量で行われるから、泡が多く発生したり、洗剤を無駄に使用したりすることがなく、また、洗浄力が不足することもない。この洗濯中は前記のようにフタが閉じられており、これはフタスイッチからの出力で検出されるから、この洗濯中は制御装置の働きで残時間の表示部１７には洗濯の残時間が表示される〔ステップ（ロ）（ヘ）〕。
【００２６】
なお、脱水中にフタを開いたときは、洗濯物の片寄りなどを修正する場合であるからエラー表示を行う〔ステップ（ト）〕。
【００２７】
【発明の効果】
以上述べたように本発明の全自動洗濯機の水量と洗剤量の表示方法は、第１に、洗濯物の負荷量を判定し、負荷量の判定結果に基づいて水量と洗剤量とを設定する全自動洗濯機の表示装置において、負荷量の判定結果に基づいて水量を１リットル単位で表示するとともに、該水量に対応する洗剤量を表示部に表示することで、水量や洗剤量を負荷量に見合うものとして最適のものを細かく表示でき、洗いはこうして表示された洗濯物の量に最適の洗剤量で行われるから、泡が多く発生したり、洗剤を無駄に使用したりすることがなく、また、洗浄力が不足することもない。また、この場合に水量や洗剤量の表示のための表示スペースを別途格別に必要としないですみ、表示のためのＬＥＤランプなども不要となるから安価に基板を設計できる。
【００２８】
第２に、水量と洗剤量または水量と洗剤量のどちらか一方を洗濯運転中に洗濯の残時間を表示する表示部に表示することにより、洗濯運転開始前で残時間の表示がまだ行われないときに、この残時間の表示部に水量と洗剤量の表示を行うから、１つの表示部を共用して使用しても支障はない。
【００２９】
第３に、洗濯運転開始前で洗濯機のフタが開いているときに表示部に水量と洗剤量とを表示し、洗濯運転中で洗濯機のフタが閉じているときは表示部には洗濯の残時間を表示することにより、フタの開閉状態で表示内容を自動的に選択設定し、しかも、洗濯開始前の洗剤投入などのためにフタを開いているときに水量と洗剤量を表示し、洗濯開始後のフタを閉じているときに洗濯の残時間を表示するようにしたから、洗濯の工程で必要なときに必要な情報を確実に表示できる。
【００３０】
第４に、水量と洗剤量は表示部に交互に表示することにより、洗濯開始前に必要な情報である水量と洗剤量の表示を一つの表示部で行えるものである。
【図面の簡単な説明】
【図１】本発明の全自動洗濯機の水量と洗剤利用の表示方法の動作を示すフローチャートである。
【図２】慣性パルスの波形図である。
【図３】慣性パルス数と負荷量の関係を示す特性曲線図である。
【図４】負荷量と水位の関係を示す特性曲線図である。
【図５】本発明方法が実施される表示部の平面図である。
【図６】従来の表示方法が実施される表示部の平面図である。
【符号の説明】
１…表示部
２…数値表示
３…形状表示
４…電源スイッチ
５…スタート兼一時停止ボタン
６…コース選択ボタン
７…汚れボタン
８…予約ボタン
９…脱水ボタン
１０…すすぎボタン
１１…洗いボタン
１２…コースの表示部
１３…水流の表示部
１４…脱水時間の表示部
１５…すすぎ回数の表示部
１６…洗い時間の表示部
１７…洗濯中の残時間の表示部